(57)【要約】【課題】読取画像の品質の低下を防ぐ画像読取装置を提供する。【解決手段】原稿画像が置かれた原稿台に設けられた白色基準板を光学的に読み取って、所定の画質の読取信号を出力するための利得補正値を取得する。その取得された利得補正値に基づいて、原稿台上の位置に応じた光源の発光量を取得する。その取得された発光量により、原稿台上の原稿画像を読み取る。【選択図】図１０
2015201765.tif 000002
【特許請求の範囲】
【請求項１】
光源から原稿台上の原稿画像を照射し、前記原稿画像からの反射光を読み取って読取信号を出力する読取手段と、
原稿が載置される原稿台に設けられた基準部材を前記読取手段が読み取った値が所定の範囲であるか否かを判定する判定手段と、
前記判定手段が前記所定の範囲でないと判定した場合、前記原稿台上の副走査方向における前記読取手段の読取位置に応じて前記光源の発光量を変化させる発光量制御手段と、
を備えることを特徴とする画像読取装置。
【請求項２】
光源から原稿台上の原稿画像を照射し、前記原稿画像からの反射光を読み取って読取信号を出力する読取手段と、
原稿が載置される原稿台に設けられた基準部材を前記読取手段が読み取った値が所定の範囲であるか否かを判定する判定手段と、
前記判定手段が前記所定の範囲でないと判定した場合、前記原稿台の歪みに応じて前記光源の発光量を変化させる発光量制御手段と、
を備えることを特徴とする画像読取装置。
【請求項３】
前記基準部材は、前記原稿台の歪みによる影響を受ける位置に設けられていることを特徴とする請求項１又は２に記載の画像読取装置。
【請求項４】
前記所定の範囲は、予め設定されている値に基づいて決められることを特徴とする請求項１乃至３のいずれか１項に記載の画像読取装置。
【請求項５】
前記所定の範囲は、前記基準部材とは別の、前記原稿台の歪みによって実質的に影響を受けない位置に設けられた第２の基準部材から得られる読取値に基づいて決められることを特徴とする請求項１乃至３のいずれか１項に記載の画像読取装置。
【請求項６】
前記基準部材は、所定の画質の読取信号を出力するための利得補正値を決定するための利得決定用基準部材であって、
前記判定手段は、前記利得決定用基準部材から得られた利得補正値と、基準となる利得補正値とのずれが所定の範囲であるか否かを判定することを特徴とする請求項１に記載の画像読取装置。
【請求項７】
前記原稿台上の副走査方向における位置に応じて変化する発光量を取得する発光量取得手段をさらに備えることを特徴とする請求項１乃至６のいずれか１項に記載の画像読取装置。
【請求項８】
前記発光量取得手段は、前記原稿台上の副走査方向における位置に応じて線型的に変化する発光量を取得することを特徴とする請求項７に記載の画像読取装置。
【請求項９】
前記発光量制御手段は、前記原稿台上の副走査方向における位置に応じて、前記読取手段の読取が前記基準部材から離れるに従って前記光源の発光量を小さくすることを特徴とする請求項１乃至８のいずれか１項に記載の画像読取装置。
【請求項１０】
前記発光量制御手段は、前記原稿台上の副走査方向における位置と発光量とが対応づけられたテーブルを参照して、前記原稿台上の副走査方向における位置に応じた前記光源の発光量を設定することを特徴とする請求項１乃至９のいずれか１項に記載の画像読取装置。
【請求項１１】
前記原稿台上の副走査方向における位置は、前記基準部材からの画素数で表わされることを特徴とする請求項１乃至１０のいずれか１項に記載の画像読取装置。
【請求項１２】
前記読取手段は、前記発光量制御手段により設定された発光量により、前記利得補正値を副走査方向の位置において変化させずに、前記原稿画像を読み取ることを特徴とする請求項１乃至１１のいずれか１項に記載の画像読取装置。
【請求項１３】
請求項１乃至１２のいずれか１項に記載の画像読取装置と、
前記読取装置が読み取った原稿画像に基づいて、記録媒体上に画像を形成する画像形成手段と、
を備えることを特徴とする画像形成装置。
【請求項１４】
画像読取装置において実行される制御方法であって、
光源から原稿台上の原稿画像を照射し、前記原稿画像からの反射光を読み取って読取信号を出力する読取工程と、
原稿が載置される原稿台に設けられた基準部材を前記読取工程で読み取った値が所定の範囲であるか否かを判定する判定工程と、
前記判定工程で前記所定の範囲でないと判定した場合、前記原稿台上の副走査方向における前記読取工程での読取位置に応じて前記光源の発光量を変化させる発光量制御工程と、
を有することを特徴とする制御方法。
【請求項１５】
光源から原稿台上の原稿画像を照射し、前記原稿画像からの反射光を読み取って読取信号を出力する読取工程と、
原稿が載置される原稿台に設けられた基準部材を前記読取工程で読み取った値が所定の範囲であるか否かを判定する判定工程と、
前記判定工程で前記所定の範囲でないと判定した場合、前記原稿台の歪みに応じて前記光源の発光量を変化させる発光量制御工程と、
を有することを特徴とする制御方法。
【請求項１６】
請求項１乃至１２のいずれか１項に記載の画像読取装置、若しくは、請求項１３に記載の画像形成装置の各手段としてコンピュータを機能させるためのプログラム。
【発明の詳細な説明】
【技術分野】
【０００１】
本発明は、原稿画像を光学的に読み取る画像読取装置、制御方法およびプログラム、並びに、画像形成装置に関する。
【背景技術】
【０００２】
従来から、原稿画像を読み取る画像読取装置は、イメージ・スキャナ及び複写機の一部として使用されている。画像読取装置で使用されるＣＣＤイメージセンサ又は密着型イメージセンサ等で読み取られた画像信号は、一般に、シェーディングと呼ばれる出力歪みを含んでいる。この出力歪みの原因として、光源の光量分布の不均一性、レンズの性質上、画角に対応した周辺光量低下、光学系の透過光量のばらつきによる不均一性、センサそのものの感度ムラ、ＣＣＤイメージセンサの転送効率に起因する１走査線終端方向に対する出力低下が挙げられる。
【０００３】
これらの出力歪みを取り除くために、予め基準面を読み取り、その読取値を使ってイメージセンサの出力画像信号の歪みを補正するシェーディング補正技術（図１３のａ〜ｃ）が知られている。また、基準面は、均一白色の白色基準板であり、原稿読取りに先立ち、センサ（イメージセンサ又はラインセンサ）は均一白色の白色基準板を読み取り、その読取値を使って利得補正値を上げて画像全体を読み取ることで、イメージセンサの出力画像信号の歪みを補正するシェーディング補正を行う（特許文献１）。
【先行技術文献】
【特許文献】
【０００４】
【特許文献１】特開平１０−３１７６９号公報
【発明の概要】
【発明が解決しようとする課題】
【０００５】
白色基準板は、原稿台上の原稿突き当て部側に配置されることが多く、構造上、白色基準板側のガラスの支えが弱くなっている。そのため、ブック原稿を読み取るときなどに原稿台ガラス面に強い押圧が加わると、図１４のように、原稿突き当て部１０４側の白色基準板１０１側の原稿ガラスが歪むことで原稿ガラス裏面に貼り付けている白色基準板も歪んでしまう（図１４（ａ））。その結果、原稿ガラス面上に置かれた原稿を読み取ったときの出力画像信号の均一性がなくなり、ＣＣＤイメージセンサ又は密着型イメージセンサに入射される光が減少し、白色基準板の読取値が減少する。これにより、読取画像の白レベルが低下してしまう。
【０００６】
また、歪み量は、原稿突き当て部１０４側の白色基準板１０１から原稿突き当て部１０４とは反対側のガラス端部に向かうにつれ、徐々に減少し、図１４（ｂ）のように原稿突き当て部とは反対側のガラス端部では歪みが無い状態となる場合がある。上記のように、原稿台ガラスに歪みがあると、原稿ガラス面上でも歪みが大きい箇所と小さい箇所とでの差が生まれる。白色基準板は原稿突き当て部側に配置されることが多いため、白色基準板の読取値は歪みが大きい箇所の読取値となってしまう。歪みが大きい箇所での利得補正値を画像全体の利得補正値として用いると、原稿台ガラスの歪みが小さい箇所では、必要以上に利得補正値が大きくなってしまい、画像劣化の原因となってしまう。
【０００７】
本発明の目的は、このような従来の問題点を解決することにある。上記の点に鑑み、本発明は、読取画像の品質の低下を防ぐ画像読取装置、制御方法およびプログラム、並びに、画像形成装置を提供することを目的とする。
【課題を解決するための手段】
【０００８】
上記課題を解決するため、本発明に係る画像読取装置は、光源から原稿台上の原稿画像を照射し、前記原稿画像からの反射光を読み取って読取信号を出力する読取手段と、原稿が載置される原稿台に設けられた基準部材を前記読取手段が読み取った値が所定の範囲であるか否かを判定する判定手段と、前記判定手段が前記所定の範囲でないと判定した場合、前記原稿台上の副走査方向における前記読取手段の読取位置に応じて前記光源の発光量を変化させる発光量制御手段と、を備えることを特徴とする。
【発明の効果】
【０００９】
本発明によれば、読取画像の品質の低下を防ぐことができる。
【図面の簡単な説明】
【００１０】
【図１】画像形成装置の全体構成を示すブロック図である。
【図２】画像読取装置の概略構成を示す図である。
【図３】画像読取装置の画像処理系の構成を示すブロック図である。
【図４】第１の実施形態の原稿台ガラスを上から見た図である。
【図５】第２の実施形態の原稿台ガラスを上から見た図である。
【図６】原稿台ガラスの押圧が弱い時の様子を示す図である。
【図７】原稿台ガラスの押圧が強い時の様子を示す図である。
【図８】副走査方向の画素値と利得補正値との対応を示す図である。
【図９】画像読取装置の制御処理の手順を示す図である。
【図１０】画像読取装置の制御処理の手順を示す他の図である。
【図１１】原稿台ガラス面の押圧が強い状態の場合を説明する図である。
【図１２】発光量を制御するための構成を示すブロック図である。
【図１３】従来のシェーディング補正技術を説明する図である。
【図１４】原稿台ガラスの押圧が強いときの様子を示す図。
【発明を実施するための形態】
【００１１】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１２】
［第１の実施形態］
図１は、本発明の実施形態における画像形成装置の全体構成を示すブロック図である。画像形成装置１００は、図１に示すように、画像読取装置（画像入力装置）２００と、プリンタ部３００と、制御装置１１０とを含む。画像読取装置２００は、原稿画像を光学的に読み取り、画像データを生成する。画像読取装置２００は、原稿を読み取るための画像読取ユニット２１０と、原稿を搬送するための自動原稿供給ユニット（ＡＤＦ）２５０とを含む。
【００１３】
プリンタ部（画像出力装置）３００は、シートとしての記録紙（記録媒体）を画像形成位置まで搬送し、記録紙上に画像データを可視画像として印刷して装置外に排出する。プリンタ部３００は、複数種類の記録紙カセットを有する給紙ユニット３６０と、画像データを記録紙に転写、定着させるためのマーキングユニット３２０と、印刷された記録紙を装置外へ排紙するための排紙ユニット３３０と、フィニッシャ５００とを含む。なお、フィニッシャ５００は、例えばステープル処理およびソート処理を印刷された記録紙に対して実行するが、本実施形態においてはなくても良い。
【００１４】
制御装置１１０は、画像読取装置２００およびプリンタ部３００を制御可能である。また、制御装置１１０は、ネットワーク（以下、ＬＡＮという）７００を介して、外部のホストコンピュータ（ＰＣ）７０１及び７０２と相互に通信可能に接続されている。制御装置１１０は、ＦＡＸ回線１２８と接続されるモデム（不図示）を内蔵している。
【００１５】
制御装置１１０は、画像形成装置１００の複写機能を実行する場合、原稿を読み取って画像データを生成するよう画像読取装置２００を制御し、その画像データを記録紙に印刷するようプリンタ部３００を制御する。また、制御装置１１０は、画像形成装置１００のスキャン機能を実行する場合、原稿を読み取って生成された画像データをコードデータに変換し、ＬＡＮ７００を介してホストコンピュータ７０１や７０２へ送信するよう画像読取装置２００を制御する。また、制御装置１１０は、画像形成装置１００のプリント機能を実行する場合、ホストコンピュータ７０１や７０２からＬＡＮ７００を介して受信したコードデータを画像データに変換し、記録紙に印刷するようプリンタ部３００を制御することも可能である。制御装置１１０は、操作部１５０にも接続されている。操作部１５０は、例えば、液晶タッチパネルなどの表示部を備え、画像形成装置１００の各機能の実行指示をユーザから受け付けることができる。
【００１６】
次に、図１の画像読取装置２００の画像読取ユニット２１０を、図２を参照しながら説明する。図２は、画像読取装置２００の概略構成を示す図である。画像読取ユニット２１０は、原稿を照明する光源としての照明部材２１０ａ、複数のミラー２１０ｂ及び結像レンズ２１０ｃで構成された光学系２１０ｄ、ラインセンサ２１０ｅを含む。照明部材２１０ａから照射され原稿で反射した反射光は、光学系２１０ｄを介してラインセンサ２１０ｅに結像されることで、原稿の画像信号が光電変換される。
【００１７】
図３は、画像読取装置２００の画像処理系の構成を示すブロック図である。光源２０１は、ＬＥＤなどの光源であり、図２の照明部材２１０ａである。センサ２０２は、例えばＣＣＤラインセンサである。アンプ２０３は、利得を外部から制御可能な利得制御アンプであり、Ａ／Ｄ変換器２０４は、利得制御アンプ２０３からのアナログ出力をデジタル信号に変換する。シェーディング補正部２０８は、Ａ／Ｄ変換器２０４からの出力データをシェーディング補正する。ＣＰＵ２０５は、システムバスを介して画像読取装置２００全体を統括的に制御する。記憶部２０６は、原稿台ガラス１０２に加わる押圧が弱い（若しくは、加わっていない）初期状態での利得補正値を記憶する。発光量補正演算部２０７は、ＣＰＵ２０５からの命令により光源２０１の発光量を制御する。画像処理部２０９は、シェーディング補正部２０８によりシェーディング補正された画像信号に対して、平滑化処理等の各種画像処理を実行し、後段に出力する。
【００１８】
次に、本実施形態の画像読取装置２００を、図４を参照しながら説明する。図４は、画像読取装置２００の原稿台ガラスを上から見た図である。第１の白色基準板１０１は、出力画像信号の歪みを補正するシェーディング補正を行うための白基準の役割を果たし、原稿台ガラス１０２に貼り付けられている。流し読みガラス１０３は、自動原稿供給ユニット（ＡＤＦ）２５０から給送された原稿用のガラスである。原稿突き当て部１０４は、原稿台ガラス１０２上に原稿をセットする基準となり、原稿台ガラス１０２の流し読みガラス側に設けられている。以下、第１の白色基準板１０１の長手方向（後述するラインセンサのセンサ並び方向）を主走査方向とし、主走査方向と直交する方向を副走査方向とする。原稿台ガラス１０２に載置された原稿を読み取るときは、図２の画像読取ユニット２１０を副走査方向に移動させながら画像の読み取りを行う。また、副走査方向の位置は、第１の白色基準板１０１の位置を基準として画素数で表すものとする。
【００１９】
一般的に、図６及び図７に示すように、原稿台ガラス１０２に加わる押圧によってガラスに撓みが生じる。図６は、原稿台ガラス１０２の押圧が弱い時の様子を示す図であり、撓みが生じていない状態を示している。また、図７は、原稿台ガラス１０２の押圧が強い時の様子を示す図であり、第１の白色基準板１０１側に撓みが生じている状態を示している。図６及び図７のような違いが生じるのは、一般的に、第１の白色基準板１０１側の辺のガラスの支えが他の３辺よりも弱いという構造上の特徴に因っている。
【００２０】
次に、本実施形態における画像読取装置２００の制御動作を図１０に示すＣＰＵ２０５のフローチャートに従って、図１、図３、図４、図８を参照しながら説明する。ここで、図８は、副走査方向の画素値と利得補正値との対応を示す図である。まず、光源２０１は、第１の白色基準板１０１に対して光を照射し、センサ２０２は、その反射光を受信し、受信した反射光から画像信号を出力する。このとき、センサ２０２から出力された画像信号は、利得値が１倍に設定された利得制御アンプ２０３により増幅され、Ａ／Ｄ変換器２０４によりデジタル信号に変換されて記憶部２０６に格納される。
【００２１】
そしてＣＰＵ２０５は、利得制御アンプ２０３に設定されている利得値を、利得制御アンプ２０３の出力値を所定の出力値（輝度等）とするような利得補正値で補正する。従って、その後にセンサ２０２から出力される画像信号は、利得制御アンプ２０３によって利得補正値で補正された利得値で増幅され、Ａ／Ｄ変換器２０４によりデジタル信号に変換されることになる。ＣＰＵ２０５は、上記の利得補正値を記憶部２０６に格納する（Ｓ１００１）。
【００２２】
ＣＰＵ２０５は、Ｓ１００１において第１白色基準板１０１から得られた利得補正値と、記憶部２０６に予め記憶されている基準利得補正値との差を算出する（Ｓ１００２）。ここで、基準利得補正値とは、原稿台ガラス１０２に加わる押圧が図６に示すように弱い（若しくは、加わっていない）状態で、利得制御アンプ２０３の出力値を所定の出力値とするような利得補正値である。
【００２３】
ＣＰＵ２０５は、算出した差が所定の値以上であるか否かを判定する（Ｓ１００３）。Ｓ１００３で用いられる所定の値は、所定の値以下だと副走査方向全ての画素において一律の発光量を用いても画像に影響が出ない値であって、所定の値以上だと一律の利得補正値を用いたときに画像に影響が出る値とする。
【００２４】
Ｓ１００３で、差が所定の値以上であると判定された場合、ＣＰＵ２０５は、Ｓ１００２で算出された基準利得補正値との差から、光源２０１の発光量を取得する（Ｓ１００４）。本実施形態においては、ＣＰＵ２０５は、例えば図８に示すような利得補正値の差と発光量との対応関係から、光源２０１の発光量（第１の発光量）を取得する。
【００２５】
図８における対応関係は、利得補正値の差分が大きいほど発光量が増加していく関係となっている。ここで、Ｓ１００１で記憶部２０６に格納される利得補正値は、主走査方向における中央の画像信号に対応する利得補正値である。そのため、基準利得補正値との差を求めて取得する光源２０１の発光量（第１の発光量）は、主走査方向における中央部の画像信号に対応する発光量となっている。よって、光源２０１の発光量としては、中央の画像信号に対応する発光量を主走査方向全域において用いる。
【００２６】
原稿台ガラス１０２への押圧が図７に示すように強い場合には、白色基準板１０１の長手方向中心の撓みは顕著になる。その場合、センサ２０２の受光量は、図６に示すような押圧が弱い（若しくは、加わっていない）場合に比べると小さくなる。従って、利得制御アンプ２０３の出力値を所定の出力値とするような利得補正値は、押圧が弱い（若しくは、加わっていない）場合に比べると大きくなる。本実施形態においては、利得補正値と基準利得補正値との差が所定の値以上であるか否かによって、図６及び図７に示すような押圧による撓みの程度を判定している。
【００２７】
発光量補正演算部２０７は、Ｓ１００４で取得された発光量になるように光源２０１の発光量を補正する（Ｓ１００５）。このときの発光量を第１の発光量とする。原稿台ガラス１０２への押圧が強い場合、センサ２０２の受光量が小さくなってしまうため、所定の画質の画像を得るために光源２０１の発光量を増加させる必要がある。従って、原稿台ガラス１０２への押圧が強い程、第１の発光量は増加する。
【００２８】
ここで、光源２０１の発光量の補正について図１２を参照しながら説明する。
【００２９】
図１２は、光源（ＬＥＤ）２０１の発光量を制御するための構成を示すブロック図である。画像読取ユニット２１０は、センサ２０２、Ａ／Ｄ変換器２０４、ＬＥＤ２０１、ＬＥＤドライバ１２０３を含んでいる。ここで、ＬＥＤ２０１は、光源を指す。ＬＥＤドライバ１２０３は、ＰＷＭ制御によりＬＥＤ２０１を駆動する。ＣＰＵ２０５は、利得補正値比較制御部１２０１と、発光量設定制御部１２０２とを含んでいる。
【００３０】
利得補正値比較制御部１２０１は、Ｓ１００３の処理を行うブロックであり、センサ２０２が利得制御アンプ２０３及びＡ／Ｄ変換器２０４を介して出力するデジタル信号に基づいて、得られた利得補正値と基準利得補正値との差が所定の値以上であるか否かを判定する。発光量設定制御部１２０２は、利得補正値比較制御部１２０１からの判定結果が所定の値以上である場合に、図８に示す対応関係から、上記差に対応した発光量を取得する。発光量設定制御部１２０２は、その取得した発光量にするためのＰＷＭ制御のデューティ比をＬＥＤドライバ１２０３に設定する。
【００３１】
利得制御アンプ２０３は、第１の発光量でセンサ２０１から出力された画像信号を基準利得補正値で増幅し、シェーディング補正部２０８は、Ａ／Ｄ変換器２０４によりデジタル信号に変換された画像信号に対して、シェーディング補正を行う（Ｓ１００６）。そして、ＣＰＵ２０５は、副走査方向の各位置についての発光量を取得し、光源２０１の発光量を補正しながら副走査方向の画像読取を行う。（Ｓ１００７）副走査方向の各位置についての発光量取得方法については、後述する。その後、各画素位置について生成された画像データについて、画像処理部２０９により画像処理を実行する（Ｓ１００８）。
【００３２】
Ｓ１００７で行う副走査方向における発光量の取得方法として、ＣＰＵ２０５は、例えば、図９に示すような副走査方向の画素数と発光量との対応から、副走査方向の各画素位置についての光源２０１の発光量を取得する。図９のａ点は原稿台ガラスに加わる押圧が強い（第１の白色基準板１０１の歪みが大きい）ほど、図９の縦軸方向において増加する方向へ変化する。本実施形態においては、図９に示すように、第１の発光量（図９のａ点）と予め定められた基準の発光量（図９のｂ点）との間は、副走査方向において線形に変化すると定めている。しかしながら、ＣＰＵ２０５は、第１の発光量と予め定められた基準の発光量との間を、原稿台ガラス１０２の加重に対する構造特性等に応じて、非線形的に定めるようにしても良い。
【００３３】
上述したように、白色基準板１０１の長手方向中心の撓みは、第１の白色基準板１０１側の辺のガラスの支えが他の３辺よりも弱いという構造上の特徴に因っている。従って、副走査方向で白色基準板１０１から離れるほど、白色基準板１０１の長手方向中心で生じている撓みの量は小さくなっていく。つまり、Ｓ１００７においては、副走査方向で白色基準板１０１から離れるほど、光源２０１の発光量を小さくしていく。その場合に、発光量は変化させるが、利得制御アンプ２０３の利得補正値は、副走査方向で一律に基準利得補正値を用いる。
【００３４】
Ｓ１００３で差が所定の値以上でないと判定された場合、利得制御アンプ２０３は、予め定められた基準の発光量でセンサ２０２から出力された画像信号を上記の利得補正値で増幅する。シェーディング補正処理部２０９は、Ａ／Ｄ変換器２０４によりデジタル信号に変換された画像信号に対して、シェーディング補正を行う（Ｓ１００９）。ＣＰＵ２０５は、副走査方向の各位置について、予め定められた基準の発光量で画像読取を行い（Ｓ１０１０）、各画素位置について生成された画像データについて、画像処理部２０９により画像処理を実行する（Ｓ１００８）。
【００３５】
以上で説明したように、本実施形態では、副走査方向の各位置において光源２０１の発光量を変化させることにより、白色基準板１０１に撓みが生じていたとしても、副走査方向において安定した画質を得ることができる。
【００３６】
［第２の実施形態］
次に、第２の実施形態における、図１の画像読取装置２００を制御する制御装置１１０を、図５を参照しながら説明する。図５は、画像読取装置の原稿ガラスを上から見た図である。第１の白色基準板１０１は、出力画像信号の歪みを補正するシェーディング補正を行うための白基準の役割を果たし、原稿台ガラス１０２に貼り付けられている。流し読みガラス１０３は、自動原稿供給ユニット（ＡＤＦ）２５０から給送された原稿用のガラスである。原稿台ガラス１０２上に原稿をセットする基準となる原稿突き当て部１０４は、原稿台ガラス１０２の流し読みガラス１０３側に配置されている。第２の白色基準板１０５は、原稿台ガラス１０２上の副走査方向において第１の白色基準板１０１とは反対側の辺に貼り付けられている。ここで、第２の白色基準板は、原稿台ガラスに加わる押圧が強い場合の原稿台ガラスの撓み量が第１の白色基準板１０１よりも少ない位置に設けられている。
【００３７】
本実施形態における画像読取装置２００の制御動作を図１１に示すＣＰＵ２０５のフローチャートに従って、図１、図３、図５、図８を参照しながら説明する。まず、光源２０１は、第１の白色基準板１０１に対して光を照射し、センサ２０２は、その反射光を受信し、受信した反射光から画像信号を出力する。このとき、センサ２０２から出力された画像信号は、利得値が１倍に設定された利得制御アンプ２０３により増幅され、Ａ／Ｄ変換器２０４によりデジタル信号に変換されて記憶部２０６に格納される。そしてＣＰＵ２０５は、利得制御アンプ２０３に設定されている利得値を、利得制御アンプ２０３の出力値を所定の出力値（輝度等）とするような利得補正値で補正する。従って、その後にセンサ２０２から出力される画像信号は、利得制御アンプ２０３によって利得補正値で補正された利得値により増幅され、Ａ／Ｄ変換器２０４によりデジタル信号に変換されることになる。ＣＰＵ２０５は、上記の利得補正値を記憶部２０６に格納する（Ｓ１１０１）。
【００３８】
ＣＰＵ２０５は、Ｓ１１０１において第１の白色基準板１０１から得られた利得補正値と、記憶部２０５に予め記憶されている基準利得補正値との差を算出する（Ｓ１１０２）。ここで、基準利得補正値とは、図６に示すように原稿台ガラス１０２に加わる押圧が弱い（若しくは、加わっていない）状態で、利得制御アンプ２０３の出力値を所定の出力値とするような利得補正値である。ＣＰＵ２０５は、算出した差が所定の値以上であるか否かを判定する（Ｓ１１０３）。ここで、差が所定の値以上であると判定された場合、ＣＰＵ２０５は、Ｓ１１０２で算出された差から、光源２０１の発光量を取得する（Ｓ１１０４）。本実施形態においても、ＣＰＵ２０５は、図８に示すような利得補正値の差と発光量との対応から、光源２０１の発光量（第１の発光量、図９のａ点）を取得する。
【００３９】
Ｓ１００３で用いられる所定の値は、所定の値以下だと副走査方向全ての画素において一律の発光量を用いても画像に影響が出ない値であって、所定の値以上だと一律の利得補正値を用いたときに画像に影響が出る値とする。ここで、Ｓ１１０１で記憶部２０６に格納される利得補正値は、主走査方向における中央の画像信号に対応する利得補正値である。そのため、基準利得補正値との差を求めて取得する光源２０１の発光量（第１の発光量）は、主走査方向における中央部の画像信号に対応する発光量となっている。よって、光源２０１の発光量としては、中央の画像信号に対応する発光量を主走査方向全域において用いる。
【００４０】
次に、制御装置１１０は、画像読取ユニット２１０を第２の白色基準板１０５を読み取ることができる位置に移動させる。そして、光源２０１は、第２の白色基準板１０５に対して光を照射し、センサ２０２は、その反射光を受信し、受信した反射光から画像信号を出力する。センサ２０２から出力された画像信号は、Ｓ１１０１と同様にして利得値が１倍に設定された利得制御アンプ２０３により増幅され、Ａ／Ｄ変換器２０４によりデジタル信号に変換されて記憶部２０６に格納される。そしてＣＰＵ２０５は、利得制御アンプ２０３に設定されている利得値を利得制御アンプ２０３の出力値を所定の出力値（輝度等）とするような利得補正値で補正する。ＣＰＵ２０５は、その利得補正値を記憶部２０６に格納する（Ｓ１１０５）。
【００４１】
ＣＰＵ２０５は、第２の白色基準板１０５から得られた利得補正値と、記憶部２０５に予め記憶されている基準利得補正値との差を算出する。ＣＰＵ２０５は、図８に示すような利得補正値の差と発光量との対応から、光源２０１の発光量（第２の発光量、図９のｂ点）を取得する（Ｓ１１０６）。
【００４２】
発光量補正演算部２０７は、Ｓ１１０４で取得された第１の発光量になるように光源２０１の発光量を補正する（Ｓ１１０７）。利得制御アンプ２０３は、その補正された発光量でセンサ２０１から出力された画像信号を基準利得補正値で増幅し、シェーディング補正処理部２０８は、Ａ／Ｄ変換器２０４によりデジタル信号に変換された画像信号に対して、シェーディング補正を行う（Ｓ１１０８）。ＣＰＵ２０５は、副走査方向の各位置についての発光量を取得する（Ｓ１１０９）。副走査方向の各位置についての発光量取得方法については、後述する。そして、光源２０１の発光量を補正しながら画像読取を行い（Ｓ１１１０）、各画素位置について生成された画像データについて、画像処理部２１０により画像処理を実行する（Ｓ１１１１）。
【００４３】
Ｓ１００７で行う副走査方向における発光量の取得方法として、ＣＰＵ２０５は、例えば、図９に示すような副走査方向の画素数と、第１の発光量及び第２の発光量との対応から、副走査方向の各画素位置についての光源２０１の発光量を取得する。本実施形態においては、図９のｂ点が第２の白色基準板１０５から得られる発光量であるため、ａ点と同様に原稿台ガラスに加わる押圧が強い（第２の白色基準板１０５の歪みが大きい）ほど、図９の縦軸方向において増加する方向へ変化する。しかし、先述したように、第１の白色基準板１０１が設けられている位置と第２の白色基準板１０５が設けられている位置では原稿台ガラスの撓み量が異なり、第２の白色基準板１０５側の原稿台ガラスは撓み量が小さいため、図９において変化する量も、第２の発光量のほうが小さい変化となる。
【００４４】
また、本実施形態においては、図９に示すように、第１の発光量と第２の発光量との間は、副走査方向において線形に変化すると定めている。しかしながら、ＣＰＵ２０５は、第１の発光量と第２の発光量との間を、原稿台ガラス１０２の加重に対する構造特性等に応じて、非線形的に定めるようにしても良い。
【００４５】
Ｓ１１０３で差が所定の値以上でないと判定された場合、利得制御アンプ２０３は、予め定められた基準の発光量でセンサ２０１から出力された画像信号を上記の所定の利得補正値で増幅する。シェーディング補正処理部２０８は、Ａ／Ｄ変換器２０４によりデジタル信号に変換された画像信号に対して、シェーディング補正を行う（Ｓ１１１２）。ＣＰＵ２０５は、副走査方向の各位置について、予め定められた基準の発光量で画像読取を行い（Ｓ１１１３）、各画素位置について生成された画像データについて、画像処理部２０９により画像処理を実行する（Ｓ１１１１）。
【００４６】
第２の実施形態においては、第２の白色基準板１０５から第２の発光量を得ることで、原稿台ガラスの撓み量に応じて発光量を変化させることができるため、より均一な画像データを得ることができ、画像品質の低下を防ぐことができる。
【００４７】
また、第２の実施形態において、第１の白色基準板１０１から得られる利得補正値と基準利得補正値との差が所定の値以上であった場合に発光量を変化させていたが、第１の白色基準板１０１から得られる利得補正値と第２の白色基準板１０５から得られる利得補正値との差が所定の値以上であった場合に副走査方向における発光量を変化させてもよい。
【００４８】
また、本実施形態では、第１の白色基準板１０１から得られる利得補正値と、基準利得補正値との２値間の差が所定の値以上の場合に、原稿台ガラスの歪みに応じたシェーディング補正を行ったが、２値間の差の大きさに関わらず、２値間に差があった場合に原稿台ガラスの撓みに応じて発光量を変化させてもよい。
【００４９】
以上のように、各実施形態においては、原稿台ガラス面への押圧により白色基準板に撓みが生じて、白色基準板の読取値が減少した場合、光源の発光量を副走査方向における読取手段の読取位置に応じて変化させることで、白基準レベルを一定にして画像品質の低下を防ぐことができる。
【００５０】
以上で説明した実施形態では、光源の発光量を副走査方向における読み取り位置に応じて変化させたが、原稿台ガラスの歪みに応じて、主走査方向において光源の発光量を変化させてもよい。この場合についても、原稿台ガラスの歪みの影響が一番大きい主走査方向中央部の値を、白色基準板の主走査方向における端部側に向かって徐々に小さくなるように光源の発光量を変化させればよい。また、主走査方向の原稿台ガラスの歪みにおける発光量を副走査方向における歪みに適用し、上記で説明した実施形態のように、主走査方向の各画素毎の発光量を副走査方向において線型的に変化させてもよい。このようにすることで、より画像品質の低下を防ぐことができる。
【符号の説明】
【００５１】
１００  画像形成装置
１１０  制御装置
１２０  ＣＰＵ
２００  画像読取装置
【図１】
2015201765.tif 000003
【図２】
2015201765.tif 000004
【図３】
2015201765.tif 000005
【図４】
2015201765.tif 000006
【図５】
2015201765.tif 000007
【図６】
2015201765.tif 000008
【図７】
2015201765.tif 000009
【図８】
2015201765.tif 000010
【図９】
2015201765.tif 000011
【図１０】
2015201765.tif 000012
【図１１】
2015201765.tif 000013
【図１２】
2015201765.tif 000014
【図１３】
2015201765.tif 000015
【図１４】
2015201765.tif 000016